(57)【要約】【課題】マイクロホンユニットから引き出した接続コードを配線する際に応力が加わってもショックマウント側に変形を生じさせないマイクロホンの提供。【解決手段】マイクロホンユニット１２と、該マイクロホンユニット１２を弾性支持して機器側に取り付けるショックマウント２２と、マイクロホンユニット１２側から引き出されて前記機器側へと配線される接続コード３２とを少なくとも備えるマイクロホン１１において、ショックマウント２２は、中空支柱部２３と、その頂部側に連設されてマイクロホンユニッ１２を保持する保持部２５と、基端側に連設されて機器側に取り付ける固定部２６とを少なくとも備え、中空支柱部２３の適位置には、マイクロホンユニット１２側から引き出された接続コード３２をその内部空間２２ａへと導入するための導入口２４を設け、固定部２６の下面開口部２６ａを介しての導出を自在とした。【選択図】図１
2006324863.tif 000002
【特許請求の範囲】
【請求項１】
マイクロホンユニットと、該マイクロホンユニットを弾性支持して機器側への取付けを自在に形成されたショックマウントと、前記マイクロホンユニット側から引き出されて前記機器側へと配線される接続コードとを少なくとも備えるマイクロホンにおいて、
前記ショックマウントは、適宜長さの中空支柱部と、該中空支柱部の頂部側に連設されて前記マイクロホンユニッを保持する保持部と、前記中空支柱部の基端側に連設されて前記機器側に取り付ける固定部とを少なくとも備え、
前記中空支柱部の適位置には、前記マイクロホンユニット側から引き出された前記接続コードをその内部空間へと導入するための導入口を設けるとともに、前記固定部の下面開口部を介しての導出を自在としたことを特徴とするマイクロホン。
【請求項２】
前記ショックマウントは、ゴム材を含む弾性素材により一体形成された請求項１に記載のマイクロホン。
【請求項３】
前記マイクロホンユニットは、ショックマウントにおける前記保持部に対しその着脱を自在に抱持させた請求項１または２に記載のマイクロホン。
【請求項４】
前記導入口は、前記マイクロホンユニットの背面側に位置する前記保持部側から前記中空支柱部側へと至る部位に設けた請求項１ないし３のいずれかに記載のマイクロホン。
【発明の詳細な説明】
【技術分野】
【０００１】
本発明は、マイクロホンユニット側から引き出された接続コードを機器側に配線する際に該接続コードに応力が加わっても、マイクロホンユニットを弾性支持しているショックマウント側に変形を生じさせないようにしたマイクロホンに関する技術である。
【背景技術】
【０００２】
手持ち用などの各種のマイクロホンにおいては、マイクロホンケースが振動することにより発生する振動雑音への対応策が問題になる。このような問題に対しては、リング状に形成されたショックマウント内にマイクロホンユニットを挿入保持させた上で、マイクロホンケースの内側に嵌合保持させることで、振動雑音を低減するようにしたマイクロホンも、例えば下記特許文献１などにおいて開示されている。
【特許文献１】特開平１１−３３１９８７号公報
【０００３】
一方、図２は、機器側への組込み用として用いられる比較的微小なマイクロホンの従来例を示す説明図であり、そのうちの（ａ）は正面図を、（ｂ）は右側面図を、（ｃ）は背面図をそれぞれ示す。
【０００４】
同図によれば、マイクロホン１は、マイクロホンユニット２側をその固定側側から引き離して設置することで、音響性能を劣化させないようにして形成されている。
【０００５】
すなわち、マイクロホンユニット２は、適宜の止着構造を備える固定側との間にゴムやエラストマーなどの弾性素材からなるショックマウント３を介在させ、該ショックマウント３に弾性支持させることで図示しない機器側から伝わる振動に起因して発生する振動雑音を低減させることができるようになっている。なお、ショックマウント３は、その全体を柔らかく形成すればするほど振動雑音を低減することができるとされている。
【０００６】
この場合、ショックマウント３は、適宜長さの支柱部４と、該支柱部４の頂部側に形成されてマイクロホンユニット２をその前面２ａ側と背面２ｂ側とを表出させた状態で抱持する保持部５と、支柱部４の基端側に連設されて機器側に取り付ける固定部６とを備えおり、その全体がゴムやエラストマーなどの弾性素材を用いて一体形成されている。
【０００７】
また、マイクロホン１は、マイクロホンユニット２の背面２ｂ側から引き出され、その外側を経由して機器側へと配線される接続コード８を備えている。そして、該接続コード８は、静電結合による雑音の発生を防止するためにシールド線が用いられている。
【発明の開示】
【発明が解決しようとする課題】
【０００８】
ところで、図２に示すマイクロホン１は、マイクロホンユニット２の背面２ｂ側から引き出される接続コード８としてシールド線が用いられているものの、これを機器側へと配線する際に応力が加わってしまい、該応力によりショックマウント３を、とりわけ支持本体部４側を変位させてしまうという不都合があった。
【０００９】
このような不都合に対しては、細くて柔らかい接続コード８を用いることにより、ショックマウント３側の変位発生をある程度は軽減することができる。しかし、その一方には、既に述べたように振動雑音の発生をより効果的に軽減する観点から、ショックマウント３の全体をさらに柔らかくして形成したいとする要請もある。
【００１０】
つまり、接続コード８として細くて柔らかいものを用いたとしても、ショックマウント３側が柔らか過ぎる場合には、接続コード８を配線する際に応力が加わると、従来と同様にショックマウント３側を変位させてしまい、マイクロホンユニット２側を正しい位置関係のもとで弾性支持することができなくなるという問題が依然として残る不具合があった。
【００１１】
本発明は、従来技術の上記課題に鑑み、マイクロホンユニット側から引き出した接続コードを機器側に配線する際に該接続コードに応力が加わっても、マイクロホンユニットを弾性支持しているショックマウント側に変形を生じさせないようにしたマイクロホンを提供することに目的がある。
【課題を解決するための手段】
【００１２】
本発明は、上記目的を達成すべくなされたものであり、マイクロホンユニットと、該マイクロホンユニットを弾性支持して機器側への取付けを自在に形成されたショックマウントと、前記マイクロホンユニット側から引き出されて前記機器側へと配線される接続コードとを少なくとも備えるマイクロホンにおいて、前記ショックマウントは、適宜長さの中空支柱部と、該中空支柱部の頂部側に連設されて前記マイクロホンユニッを保持する保持部と、前記中空支柱部の基端側に連設されて前記機器側に取り付ける固定部とを少なくとも備え、前記中空支柱部の適位置には、前記マイクロホンユニット側から引き出された前記接続コードをその内部空間へと導入するための導入口を設けるとともに、前記固定部の下面開口部を介しての導出を自在としたことを最も主要な特徴とする。
【００１３】
この場合、前記ショックマウントは、ゴム材を含む弾性素材により一体形成するのが好ましい。また、前記マイクロホンユニットは、ショックマウントにおける前記保持部に対しその着脱を自在に抱持させるのが望ましい。さらに、前記導入口は、前記マイクロホンユニットの背面側に位置する前記保持部側から前記中空支柱部側へと至る部位に設けるのが好ましい。
【発明の効果】
【００１４】
本発明によれば、マイクロホンユニット側から引き出された接続コードは、ショックマウント側に形成されている導入口を介してその内部空間に導入し、固定部側から導出することができるので、機器側へと配線する際に応力が加わる可能性をそれだけ減ずることができるほか、仮に応力が加わったとしても、ショックマウントを変位させるような力を作用させることをなくすことができる。
【発明を実施するための最良の形態】
【００１５】
図１は、本発明の一例を示す説明図であり、そのうちの（ａ）は正面図を、（ｂ）は要部断面を含む右側面図を、（ｃ）は背面図をそれぞれ示す。
【００１６】
同図によれば、マイクロホン１１は、マイクロホンユニット１２と、該マイクロホンユニット１２を弾性支持して図示しない機器側への取付けを自在に形成されたショックマウント２２と、マイクロホンユニット１２側から引き出されて機器側へと配線される接続コード３２とを少なくとも備えて形成されている。
【００１７】
このうち、マイクロホンユニット１２は、例えば外径が１０ｍｍ前後の略円柱状を呈する微小なコンデンサマイクロホンユニットなどにより形成されており、その前面１３側には振動板を含む収音部側が、背面１４側には接続コード３２の一端側が接続される接続端子などがそれぞれ配設されている。
【００１８】
また、ゴム材を含む弾性素材からなるショックマウント２２は、適宜長さの中空支柱部２３と、該中空支柱部２３の頂部側にてマイクロホンユニット１２を抱持する保持部２５と、中空支柱部２３の基端側に連設されて前記機器側に取り付ける固定部２６とを少なくとも備えて一体形成されている。
【００１９】
この場合、中空支柱部２３は、例えば高さが２０ｍｍ程度で、その外径が１０ｍｍ程度の略中空円柱状を呈してその長さ方向に沿わせた内部空間２２ａを有して形成されている。
【００２０】
しかも、マイクロホンユニット１２の背面１４側に位置している中空支柱部２３には、これと隣接する保持部２５側に設けられている後述する背面開口部２５ｂと連通させた導入口２４を設けることで、マイクロホンユニット１２の背面１４側から引き出されている接続コード３２をその内部空間２２ａ内へと導入することができるようになっている。
【００２１】
また、中空支柱部２３の頂部側に一体形成される保持部２５は、マイクロホンユニット１２をその前面１３側と背面１４側とを表出させた状態で抱持したり保持したりすることができるように、マイクロホンユニット１２の外径よりもやや小さな内径の前面開口部２５ａと背面開口部２５ｂとを有して形成されている。
【００２２】
この場合、保持部２５は、ある程度の伸縮性が付与されて形成されているので、前面開口部２５ａまたは背面開口部２５ｂを介してマイクロホンユニット１２を着脱自在に抱持することができるようになっている。
【００２３】
さらに、中空支柱部２３の基端側に一体形成される固定部２６は、機器側の対応部位の構造との関係で定まる適宜の取付け構造が付与されて形成されるものである。これを図示例に基づいて説明すれば、固定部２６は、中空支柱部２３の内部空間２２ａと連通する基端開口部２６ａを有する大径部位の略中間位置に周設された溝部２７と、該溝部２７を介して２分割された下側鍔部２８と上側鍔部２９とで形成されている。
【００２４】
次に、上記構成からなる本発明の作用・効果を説明すれば、マイクロホンユニット１２は、ショックマウント２２を介することで、図示しない取付け対象部材たる適宜の機器側から引き離して設置することができるので、その音響性能を劣化させることなく配置することができる。
【００２５】
すなわち、マイクロホンユニット１２は、ショックマウント２２における保持部２５の前面開口部２５ａまたは背面開口部２５ｂを介してその着脱を自在に抱持させることができる。
【００２６】
しかも、マイクロホンユニット１２の背面１４側から引き出されている接続コード３２は、ショックマウント２２における保持部２５の背面開口部２５ｂから中空支柱部２３側へと至る部位に形成されている導入口２４を介して、図１（ｂ）に示すようにその内部空間２２ａに導入し、固定部２６側の下面開口部２６ａから導出することができる。
【００２７】
したがって、マイクロホンユニット１２の背面１４側から引き出された接続コード３２は、常にショックマウント２２内を経由させることで機器側へと配線することができるので、配線する際に応力が加わる可能性をそれだけ減ずることができる。また、接続コード３２を配線する際に仮に応力が加わったとしても、ショックマウント２２を変位させるような力を作用させることをなくすことができる。
【００２８】
このため、ショックマウント２２自体は、その全体をより柔らかくして形成することが可能となり、振動雑音の発生もそれだけ効果的に軽減することができることになる。
【００２９】
また、ショックマウント２２は、例えば機器側に設けられている取付け用孔に対し、固定部２６における下側鍔部２８と上側鍔部２９とを挟持するように配置することで、機器側に安定的に固定することができる。
【００３０】
したがって、マイクロホン１１は、ショックマウント２２の固定部２６を介して機器側に位置固定させ、かつ、保持部２５を介してマイクロホンユニット１２を変形のないショックマウント２２側に弾性支持させることで、正しい位置関係のもとで設置することができるので、常に設計したとおりの性能を発揮させることができることになる。
【００３１】
以上は、本発明を図示例に基づいて説明したものであり、その具体的な構成はこれに限定されるものではない。例えば、ショックマウント２２側に形成される導入口２４は、その位置や大きさなどを所望に応じて適宜選択することができる。また、ショックマウント２２は、一体形成するのが望ましいものの、その一部を別体に形成し、これらを一体的に組み合わせて形成するものであってもよい。さらに、ショックマウント２２における中空支柱部２３は、内部空間２２ａさえ確保することができるものであれば、その具体的な形状は問わない。また、保持部２５は、マイクロホンユニット１２の着脱ができない抱持構造もしくは保持構造を付与して形成することもできる。
【図面の簡単な説明】
【００３２】
【図１】本発明の一例を示す説明図であり、そのうちの（ａ）は正面図を、（ｂ）は要部断面を含む右側面図を、（ｃ）は背面図をそれぞれ示す。
【図２】機器組込み用として用いられる比較的微小なマイクロホンの従来例を示す説明図であり、そのうちの（ａ）は正面図を、（ｂ）は右側面図を、（ｃ）は背面図をそれぞれ示す。
【符号の説明】
【００３３】
１１  マイクロホン
１２  マイクロホンユニット
１３  前面
１４  背面
２２  ショックマウント
２２ａ  内部空間
２３  中空支柱部
２４  導入口
２５  保持部
２５ａ  前面開口部
２５ｂ  背面開口部
２６  固定部
２６ａ  下面開口部
２７  溝部
２８  下側鍔部
２９  上側鍔部
３２  接続コード
【図１】
2006324863.tif 000003
【図２】
2006324863.tif 000004